(57)【特許請求の範囲】
【請求項１】
物体側から順に、正の屈折力を有する第１レンズ群、負の屈折力を有する第２レンズ群、正の屈折力を有する第３レンズ群、負の屈折力を有する第４レンズ群からなり、
広角端から望遠端へのズーミングに際して、隣り合う各レンズ群の間隔が変化し、無限遠から至近への合焦の際に、前記第４レンズ群が像側へ移動し、
前記第４レンズ群は、物体側から順に、像側に凸面を向けた正メニスカスレンズと両凹負レンズの２つの単レンズ、もしくは、これらを接合した１つの接合レンズで構成され、
前記第２レンズ群は、物体側から順に、負レンズ、正レンズ、負レンズの３枚のレンズからなる結像光学系を備えており、かつ、
以下の条件式（１）、（２）を満足することを特徴とする撮像装置。
Ｎｄ４≦−０．０１５×νｄ４＋２．０４  ・・・（１）
−２．５≦ｆＧ４／Ｌ≦−１．５  ・・・（２）
ここで、
Ｎｄ４は前記結像光学系の前記第４レンズ群の前記正メニスカスレンズの硝材の屈折率、
νｄ４は前記結像光学系の前記第４レンズ群の前記正メニスカスレンズの硝材のｄ線基準のアッベ数（ｎｄ１−１）／（ｎＦ１−ｎＣ１）、
ｆＧ４は前記結像光学系の第４レンズ群の焦点距離、
Ｌは撮像素子の対角長であり、
ｎｄ１、ｎＣ１、ｎＦ１は前記正メニスカスレンズのｄ線、Ｃ線、Ｆ線の屈折率である。
【請求項２】
物体側から順に、正の屈折力を有する第１レンズ群、負の屈折力を有する第２レンズ群、正の屈折力を有する第３レンズ群、負の屈折力を有する第４レンズ群からなり、
広角端から望遠端へのズーミングに際して、隣り合う各レンズ群の間隔が変化し、無限遠から至近への合焦の際に、前記第４レンズ群が像側へ移動し、
前記第４レンズ群は、物体側から順に、像側に凸面を向けた正メニスカスレンズと両凹負レンズの２つの単レンズ、もしくは、これらを接合した１つの接合レンズで構成され、
前記第１レンズ群は、物体側から順に、正レンズ、負レンズの２つの単レンズ、又は、それらを接合した１つの接合レンズで構成された結像光学系を備えており、かつ、
以下の条件式（１）、（２）を満足することを特徴とする撮像装置。
Ｎｄ４≦−０．０１５×νｄ４＋２．０４  ・・・（１）
−２．５≦ｆＧ４／Ｌ≦−１．５  ・・・（２）
ここで、
Ｎｄ４は前記結像光学系の前記第４レンズ群の前記正メニスカスレンズの硝材の屈折率、
νｄ４は前記結像光学系の前記第４レンズ群の前記正メニスカスレンズの硝材のｄ線基準のアッベ数（ｎｄ１−１）／（ｎＦ１−ｎＣ１）、
ｆＧ４は前記結像光学系の第４レンズ群の焦点距離、
Ｌは撮像素子の対角長であり、
ｎｄ１、ｎＣ１、ｎＦ１は前記正メニスカスレンズのｄ線、Ｃ線、Ｆ線の屈折率である。
【請求項３】
物体側から順に、正の屈折力を有する第１レンズ群、負の屈折力を有する第２レンズ群、正の屈折力を有する第３レンズ群、負の屈折力を有する第４レンズ群からなり、
広角端から望遠端へのズーミングに際して、隣り合う各レンズ群の間隔が変化し、無限遠から至近への合焦の際に、前記第４レンズ群が像側へ移動し、
前記第４レンズ群は、物体側から順に、像側に凸面を向けた正メニスカスレンズと両凹負レンズの２つの単レンズ、もしくは、これらを接合した１つの接合レンズで構成され、
前記第３レンズ群は、物体側から順に、開口絞りと、物体側から正レンズ・正レンズ・負レンズの３枚のレンズからなる正屈折力の前群と、正屈折力の後群とからなる結像光学系を備えており、かつ、
以下の条件式（１）、（２）を満足することを特徴とする撮像装置。
Ｎｄ４≦−０．０１５×νｄ４＋２．０４  ・・・（１）
−２．５≦ｆＧ４／Ｌ≦−１．５  ・・・（２）
ここで、
Ｎｄ４は前記結像光学系の前記第４レンズ群の前記正メニスカスレンズの硝材の屈折率、
νｄ４は前記結像光学系の前記第４レンズ群の前記正メニスカスレンズの硝材のｄ線基準のアッベ数（ｎｄ１−１）／（ｎＦ１−ｎＣ１）、
ｆＧ４は前記結像光学系の第４レンズ群の焦点距離、
Ｌは撮像素子の対角長であり、
ｎｄ１、ｎＣ１、ｎＦ１は前記正メニスカスレンズのｄ線、Ｃ線、Ｆ線の屈折率である。
【請求項４】
前記第３レンズ群中の前記前群と前記後群との間隔が以下の条件式（６）を満足することを特徴とする請求項３に記載の撮像装置。
０．２５≦ｄｆｂ／ｄＧ３≦０．５ ・・・（６）
ここで、
ｄｆｂは前記結像光学系の、前記第３レンズ群中の前記前群と前記後群との間隔、
ｄＧ３は前記結像光学系の前記第３レンズ群の一番物体側の面から前記結像光学系の第３レンズ群の一番像側の面までの間隔、
である。
【請求項５】
前記結像光学系が下記条件式（３）を満たすことを特徴とする請求項１から請求項４のいずれか１項に記載の撮像装置。
０．６６≦θｇＦ４ｐ≦０．７５  ・・・（３）
ここで、
θｇＦ４ｐは前記結像光学系の前記第４レンズ群の前記正メニスカスレンズの部分分散比（ｎｇ−ｎＦ）／（ｎＦ−ｎＣ）、
ｎｇは前記正メニスカスレンズのｇ線の屈折率、
ｎＦは前記正メニスカスレンズのＦ線の屈折率、
ｎＣは前記正メニスカスレンズのＣ線の屈折率、
である。
【請求項６】
前記結像光学系が下記条件式（４）を満たすことを特徴とする請求項１から請求項５のいずれか１項に記載の撮像装置。
−７．０≦（Ｒｂ＋＋Ｒａ＋）／（Ｒｂ＋−Ｒａ＋）≦−２．０  ・・・（４）
ここで、
Ｒａ＋は前記結像光学系の前記第４レンズ群の前記正メニスカスレンズの物体側の曲率半径、
Ｒｂ＋は前記結像光学系の前記第４レンズ群の前記正メニスカスレンズの像側の曲率半径、
である。
【請求項７】
前記結像光学系の前記第３レンズ群は、物体側から順に、開口絞りと、物体側から正レンズ・正レンズ・負レンズの３枚のレンズからなる正の屈折力を有する前群と、正の屈折力を有する後群とからなることを特徴とする請求項１又は請求項２に記載の撮像装置。
【請求項８】
前記結像光学系の前記第３レンズ群は、物体側から順に、開口絞りと、正の屈折力を有する前群と、物体側から負レンズ・正レンズ・正レンズの３枚のレンズからなる正の屈折力を有する後群とからなることを特徴とする請求項１から請求項７のいずれか１項に記載の撮像装置。
【請求項９】
前記結像光学系の前記第２レンズ群が、物体側から順に、負レンズ、正レンズ、負レンズの３枚のレンズからなることを特徴とする請求項２から請求項８のいずれか１項に記載の撮像装置。
【請求項１０】
前記結像光学系の前記第１レンズ群が、物体側から順に、正レンズ、負レンズの２つの単レンズ、又は、それらを接合した１つの接合レンズで構成されることを特徴とする請求項１から請求項９のいずれか１項に記載の撮像装置。
【発明の詳細な説明】
【技術分野】
【０００１】
本発明は、撮像装置に関するものである。
【背景技術】
【０００２】
近年ＣＣＤ，ＣＭＯＳ等の電子撮像素子を用いた一眼レフレックスカメラ等のレンズ交換式カメラの普及が進んでいる。このレンズ交換式カメラに用いられる交換レンズにおいて、フォーカスレンズ群の軽量化・簡素化・リアフォーカス化等が求められている。これは、軽量化、及び交換レンズ繰り出しを減らすためのリアフォーカス化によって、フォーカス時の静音化が可能となるためである。これにより、例えば、静止画撮影時のフォーカシングの音や、従来のデジタルビデオカメラを超える高精細な動画撮影機能を搭載した、近年のレンズ交換式カメラで動画撮影をする場合などにおいて、動画撮影時の頻繁なフォーカス移動により発生するフォーカシングの音等を減らすことができる。
【０００３】
しかしながら、フォーカシングレンズ群を単純に軽量化・簡素化してしまうと、フォーカシングによる諸収差の劣化を防ぐことが出来ない。例えば、レンズ１枚でフォーカシングを行うと、色収差をはじめとする各収差の変動の抑制が難しい。また、ペッツバール和の改善も難しい。
従来から、望遠結像光学系としては特許文献１〜４に示されているような正・負・正・負の４群構成からなるいわゆるダブルテレフォトタイプの結像光学系が提案されている。また、特許文献４では、フォーカシングレンズ群として３枚構成の第３レンズ群を用いることを提案している。
【先行技術文献】
【特許文献】
【０００４】
【特許文献１】特開昭６０−１４２３１９号公報
【特許文献２】特開昭６０−５５３１４号公報
【特許文献３】特開平１−２２３４０９号公報
【特許文献４】特開平４−５３９１６号公報
【発明の概要】
【発明が解決しようとする課題】
【０００５】
しかしながら、特許文献１〜４の構成では、フォーカシングレンズ群の軽量化・簡素化とフォーカシングによる諸収差の劣化を防ぐことの両立をさせることが極めて難しい。また、特許文献１、２、３は、いわゆる３５ｍｍフィルムカメラ用の構成である。これをデジタルカメラに適応しようとした場合、色収差、撮像素子への斜入射特性の問題がありこれに適応させるとコンパクトな結像光学系を実現できない。さらに特許文献中には記されていないが、フォーカスをさせることを検討すると、光学性能を良好に保ち、静音化を達成することは非常に難しい。
【０００６】
本発明は、上記に鑑みてなされたものであって、正・負・正・負の４群構成の結像光学系でありながら、フォーカスレンズ群を軽量化、簡素化、リアフォーカス化させ、なおかつ光学性能を無限遠から至近まで良好に保つことの出来るコンパクトな結像光学系を備えた撮像装置を提供することを目的とする。
【課題を解決するための手段】
【０００７】
上述した課題を解決し、目的を達成するために、本発明の第１の態様に係る撮像装置は、物体側から順に、正の屈折力を有する第１レンズ群、負の屈折力を有する第２レンズ群、正の屈折力を有する第３レンズ群、負の屈折力を有する第４レンズ群からなり、広角端から望遠端へのズーミングに際して、隣り合う各レンズ群の間隔が変化し、無限遠から至近への合焦の際に、第４レンズ群が像側へ移動し、第４レンズ群は、物体側から順に、像側に凸面を向けた正メニスカスレンズと両凹負レンズの２つの単レンズ、もしくは、これらを接合した１つの接合レンズで構成され、第２レンズ群は、物体側から順に、負レンズ、正レンズ、負レンズの３枚のレンズからなる結像光学系を備えており、かつ、以下の条件式（１）、（２）を満足することを特徴とする。
Ｎｄ４≦−０．０１５×νｄ４＋２．０４  ・・・（１）
−２．５≦ｆＧ４／Ｌ≦−１．５  ・・・（２）
ここで、
Ｎｄ４は結像光学系の第４レンズ群の正メニスカスレンズの硝材の屈折率、
νｄ４は結像光学系の第４レンズ群の正メニスカスレンズの硝材のｄ線基準のアッベ数（ｎｄ１−１）／（ｎＦ１−ｎＣ１）、
ｆＧ４は結像光学系の第４レンズ群の焦点距離、
Ｌは撮像素子の対角長であり、
ｎｄ１、ｎＣ１、ｎＦ１は正メニスカスレンズのｄ線、Ｃ線、Ｆ線の屈折率である。
本発明の第２の態様に係る撮像装置は、物体側から順に、正の屈折力を有する第１レンズ群、負の屈折力を有する第２レンズ群、正の屈折力を有する第３レンズ群、負の屈折力を有する第４レンズ群からなり、広角端から望遠端へのズーミングに際して、隣り合う各レンズ群の間隔が変化し、無限遠から至近への合焦の際に、第４レンズ群が像側へ移動し、第４レンズ群は、物体側から順に、像側に凸面を向けた正メニスカスレンズと両凹負レンズの２つの単レンズ、もしくは、これらを接合した１つの接合レンズで構成され、第１レンズ群は、物体側から順に、正レンズ、負レンズの２つの単レンズ、又は、それらを接合した１つの接合レンズで構成された結像光学系を備えており、かつ、以下の条件式（１）、（２）を満足することを特徴としている。
Ｎｄ４≦−０．０１５×νｄ４＋２．０４  ・・・（１）
−２．５≦ｆＧ４／Ｌ≦−１．５  ・・・（２）
ここで、
Ｎｄ４は結像光学系の第４レンズ群の正メニスカスレンズの硝材の屈折率、
νｄ４は結像光学系の第４レンズ群の正メニスカスレンズの硝材のｄ線基準のアッベ数（ｎｄ１−１）／（ｎＦ１−ｎＣ１）、
ｆＧ４は結像光学系の第４レンズ群の焦点距離、
Ｌは撮像素子の対角長であり、
ｎｄ１、ｎＣ１、ｎＦ１は正メニスカスレンズのｄ線、Ｃ線、Ｆ線の屈折率である。
本発明の第３の態様に係る撮像装置は、物体側から順に、正の屈折力を有する第１レンズ群、負の屈折力を有する第２レンズ群、正の屈折力を有する第３レンズ群、負の屈折力を有する第４レンズ群からなり、広角端から望遠端へのズーミングに際して、隣り合う各レンズ群の間隔が変化し、無限遠から至近への合焦の際に、第４レンズ群が像側へ移動し、第４レンズ群は、物体側から順に、像側に凸面を向けた正メニスカスレンズと両凹負レンズの２つの単レンズ、もしくは、これらを接合した１つの接合レンズで構成され、第３レンズ群は、物体側から順に、開口絞りと、物体側から正レンズ・正レンズ・負レンズの３枚のレンズからなる正屈折力の前群と、正屈折力の後群とからなる結像光学系を備えており、かつ、以下の条件式（１）、（２）を満足することを特徴としている。
Ｎｄ４≦−０．０１５×νｄ４＋２．０４  ・・・（１）
−２．５≦ｆＧ４／Ｌ≦−１．５  ・・・（２）
ここで、
Ｎｄ４は結像光学系の第４レンズ群の正メニスカスレンズの硝材の屈折率、
νｄ４は結像光学系の第４レンズ群の正メニスカスレンズの硝材のｄ線基準のアッベ数（ｎｄ１−１）／（ｎＦ１−ｎＣ１）、
ｆＧ４は結像光学系の第４レンズ群の焦点距離、
Ｌは撮像素子の対角長であり、
ｎｄ１、ｎＣ１、ｎＦ１は正メニスカスレンズのｄ線、Ｃ線、Ｆ線の屈折率である。
本発明の第３の態様に係る撮像装置において、第３レンズ群中の前群と後群との間隔が以下の条件式（６）を満足することが好ましい。
０．２５≦ｄｆｂ／ｄＧ３≦０．５ ・・・（６）
ここで、
ｄｆｂは結像光学系の、第３レンズ群中の前群と後群との間隔、
ｄＧ３は結像光学系の第３レンズ群の一番物体側の面から結像光学系の第３レンズ群の一番像側の面までの間隔、
である。
【０００８】
本発明に係る撮像装置は、結像光学系が下記条件式（３）を満たすことが好ましい。
０．６６≦θｇＦ４ｐ≦０．７５  ・・・（３）
ここで、
θｇＦ４ｐは結像光学系の第４レンズ群の正メニスカスレンズの部分分散比（ｎｇ−ｎＦ）／（ｎＦ−ｎＣ）、
ｎｇは前記正メニスカスレンズのｇ線の屈折率、
ｎＦは前記正メニスカスレンズのＦ線の屈折率、
ｎＣは前記正メニスカスレンズのＣ線の屈折率、
である。
【０００９】
本発明に係る撮像装置は、結像光学系が下記条件式（４）を満たすことが好ましい。
−７．０≦（Ｒｂ＋＋Ｒａ＋）／（Ｒｂ＋−Ｒａ＋）≦−２．０  ・・・（４）
ここで、
Ｒａ＋は結像光学系の第４レンズ群の正メニスカスレンズの物体側の曲率半径、
Ｒｂ＋は結像光学系の第４レンズ群の正メニスカスレンズの像側の曲率半径、
である。
【００１０】
本発明に係る撮像装置は、結像光学系の第３レンズ群は、物体側から順に、開口絞りと、物体側から正レンズ・正レンズ・負レンズの３枚のレンズからなる正の屈折力を有する前群と、正の屈折力を有する後群とからなることが好ましい。
【００１１】
本発明に係る撮像装置は、結像光学系の第３レンズ群は、物体側から順に、開口絞りと、正の屈折力を有する前群と、物体側から負レンズ・正レンズ・正レンズの３枚のレンズからなる正の屈折力を有する後群とからなることが好ましい。
【００１２】
本発明に係る撮像装置は、結像光学系の第２レンズ群が、物体側から順に、負レンズ、正レンズ、負レンズの３枚のレンズからなることが好ましい。
【００１３】
本発明に係る撮像装置は、結像光学系の第１レンズ群が、物体側から順に、正レンズ、負レンズの２つの単レンズ、又は、それらを接合した１つの接合レンズで構成されることが好ましい。
【発明の効果】
【００１４】
以上のように本発明によれば、フォーカスレンズ群駆動の軽量化・リアフォーカス化を行い、なおかつ光学性能を無限遠から至近まで良好に保つことの出来るコンパクトな結像光学系を備えた撮像装置を提供することが可能となる。
【図面の簡単な説明】
【００１５】
【図１】本発明の実施例１における結像光学系の（ａ）は広角端、（ｂ）は中間、（ｃ）は望遠端における無限遠物点合焦時の光学構成を示す光軸に沿う断面図である。
【図２】実施例１における結像光学系の無限遠物点合焦時における球面収差、非点収差、歪曲収差、倍率色収差を示す図であり、（ａ）は広角端、（ｂ）は中間、（ｃ）は望遠端での状態を示している。
【図３】実施例１における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【図４】本発明の実施例２における結像光学系の（ａ）は広角端、（ｂ）は中間、（ｃ）は望遠端における無限遠物点合焦時の光学構成を示す光軸に沿う断面図である。
【図５】実施例２における結像光学系の無限遠物点合焦時における球面収差、非点収差、歪曲収差、倍率色収差を示す図であり、（ａ）は広角端、（ｂ）は中間、（ｃ）は望遠端での状態を示している。
【図６】実施例２における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【図７】本発明の実施例３における結像光学系の（ａ）は広角端、（ｂ）は中間、（ｃ）は望遠端における無限遠物点合焦時の光学構成を示す光軸に沿う断面図である。
【図８】実施例３における結像光学系の無限遠物点合焦時における球面収差、非点収差、歪曲収差、倍率色収差を示す図であり、（ａ）は広角端、（ｂ）は中間、（ｃ）は望遠端での状態を示している。
【図９】実施例３における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【図１０】本発明の実施例４における結像光学系の（ａ）は広角端、（ｂ）は中間、（ｃ）は望遠端における無限遠物点合焦時の光学構成を示す光軸に沿う断面図である。
【図１１】実施例４における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１２】実施例４における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【図１３】本発明の実施例５における結像光学系の（ａ）は広角端、（ｂ）は中間、（ｃ）は望遠端における無限遠物点合焦時の光学構成を示す光軸に沿う断面図である。
【図１４】実施例５における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１５】実施例５における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【図１６】本発明の実施例６における結像光学系の（ａ）は広角端、（ｂ）は中間、（ｃ）は望遠端における無限遠物点合焦時の光学構成を示す光軸に沿う断面図である。
【図１７】実施例６における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１８】実施例６における結像光学系の９００ｍｍ合焦時における球面収差、非点収差、歪曲収差、倍率色収差を示す図であり、（ａ）は広角端、（ｂ）は中間、（ｃ）は望遠端での状態を示している。
【図１９】本発明による結像光学系を組み込んだデジタルカメラ４０の外観を示す前方斜視図である。
【図２０】デジタルカメラ４０の後方斜視図である。
【図２１】デジタルカメラ４０の光学構成を示す断面図である。
【図２２】本発明の結像光学系が対物光学系として内蔵された情報処理装置の一例であるパソコン３００のカバーを開いた状態の前方斜視図である。
【図２３】パソコン３００の撮影光学系３０３の断面図である。
【図２４】パソコン３００の側面図である。
【図２５】本発明の結像光学系が撮影光学系として内蔵された情報処理装置の一例である携帯電話を示す図であり、（ａ）は携帯電話４００の正面図、（ｂ）は側面図、（ｃ）は撮影光学系４０５の断面図である。
【発明を実施するための形態】
【００１６】
まず、実施例の説明に先立ち、本実施形態の撮像装置が有する結像光学系の作用効果について説明する。
本発明の撮像装置は、物体側から順に、正の第１レンズ群、負の第２群レンズ群、正の第３群レンズ群、負の第４レンズ群からなり、第４レンズ群は、物体側から順に、像側に凸面を向けた正メニスカスレンズと両凹負レンズの２つのレンズ成分、もしくは、これらを接合した１つのレンズ成分で構成された結像光学系を備えており、かつ、以下の条件式（１）、（２）を満足することを特徴とする。
Ｎｄ４≦−０．０１５×νｄ４＋２．０４  ・・・（１）
−２．５≦ｆＧ４／Ｌ≦−１．５  ・・・（２）
ここで、
Ｎｄ４は結像光学系の第４レンズ群の正メニスカスレンズの硝材の屈折率、
νｄ４は結像光学系の第４レンズ群の正メニスカスレンズの硝材のｄ線基準のアッベ数（ｎｄ１−１）／（ｎＦ１−ｎＣ１）、
ｆＧ４は結像光学系の第４レンズ群の焦点距離、
Ｌは撮像素子の対角長であり、
ｎｄ１、ｎＣ１、ｎＦ１は正メニスカスレンズのｄ線、Ｃ線、Ｆ線の屈折率である。
【００１７】
上述の条件式（１）は前記結像光学系の第４レンズ群の正メニスカスレンズ硝材の選択の範囲を示している。この条件式（１）を満たす硝材を選択することで、第４レンズ群を２つのレンズ成分もしくはこれらを接合した１つのレンズ成分にすることによる軽量化を図りつつ、無限遠から至近状態での色収差補正、ペッツバール和の改善を効果的に行うことができる。条件式（１）の上限値を上回ると色収差（特にフォーカスによる変動）又はペッツバール和の補正が十分には行えない。
【００１８】
ここで硝材とは、ガラス、プラスチック、樹脂等のレンズ材料のことを言う。また、接合レンズには、これらの硝材から適宜選択されたレンズを用いる。
【００１９】
また、接合レンズは、複合レンズであることが望ましい。複合レンズは、第一のレンズ表面に第二のレンズとして樹脂を密着硬化させることで実現できる。接合レンズを複合レンズにすることで、製造精度を向上させることが出来る。複合レンズの製造方法としては成型がある。成型では、第一のレンズに対して第二のレンズ材料（例えばエネルギー硬化型透明樹脂など）を接触させて、第二のレンズ材料を第一のレンズ材料にじかに密着させる方法がある。この方法は、レンズ要素を薄くするのに極めて有効な方法である。
【００２０】
また、接合レンズを複合レンズにする場合、第二のレンズ表面に第一のレンズとしてガラスを密着硬化させても良い。ガラスは、樹脂に比べて、耐光性、耐薬品性等の耐性の面で有利である。この場合、第二レンズ材料の特性としては、第一レンズの材料よりも融点、転移点が低いことが必要となる。複合レンズの製造方法としては成型がある。成型では、第一のレンズに対して第二のレンズ材料を接触させて、第二のレンズ材料を第一のレンズ材料にじかに密着させる方法がある。この方法は、レンズ要素を薄くするのに極めて有効な方法である。なお、第一のレンズにはあらかじめコーティングなどの表面処理がなされていてもかまわない。
【００２１】
エネルギー硬化型透明樹脂の例として、紫外線硬化型樹脂がある。また、第一のレンズが樹脂の場合とガラスの場合のいずれにおいても、基材となる側のレンズにはあらかじめコーティングなどの表面処理がなされていてもかまわない。また、第二のレンズの方が薄い場合には、第一のレンズのほうを第二のレンズに対して密着させてもよい。また、第一のレンズはガラスのような無機材料でも良いが、複合レンズの場合は、接合される第二のレンズが樹脂であるため、環境変化に対する光学性能の安定性を考慮すると、第二レンズ同様、樹脂を基本とした材料であるほうが好ましい。
【００２２】
なお、エネルギー硬化型透明樹脂は複合レンズとしてだけではなく、単体で１つのレンズとして扱うこともできる。エネルギー硬化型樹脂は比重が小さいため、単体のレンズとして用いることで硝子等よりも軽量化が可能となる。フォーカス群をエネルギー硬化型樹脂とガラスもしくはプラスチック等の２つのレンズ成分で構成することで複合レンズと同様に軽量化が可能となる。
【００２３】
フォーカスレンズ群軽量化のため、前記結像光学系の第４レンズ群の硝材はなるべく比重の小さいものを用いるのが好ましい。比重の小さい硝材としては、例として株式会社オハラのＳ−ＢＳＬ７、Ｓ−ＦＳＬ５、Ｓ−ＮＳＬ３、Ｓ−ＮＳＬ３６、日本ゼオン株式会社のＺＥＯＮＥＸ４８０、ＺＥＯＮＥＸＥ４８Ｒが上げられる。
【００２４】
上述の条件式（２）は撮像素子に対する前記第４レンズ群の焦点距離の比の範囲を示したものである。この条件式（２）を満たすことで、収差を小さくしつつ、コンパクトな交換レンズにすることが可能となる。
【００２５】
条件式（２）の上限−１．５を上回ると、第４レンズ群で発生する収差が大きくなってしまい、無限遠から至近へのフォーカスでの収差変動（特にコマ収差）を抑えることが効果的に行うことが出来ない。
【００２６】
条件式（２）の下限−２．５を下回ると、無限遠から至近へのフォーカス移動量が大きくなってしまう。このことは、鏡筒の構成の複雑さを増すことになり交換レンズ全体をコンパクトにすることが難しくなる。
【００２７】
なお、上記条件式（２）に代えて、以下の条件式（２’）を満足することがより好ましい。
−２．０≦ｆＧ４／Ｌ≦−１．７５  ・・・（２’）
【００２８】
また、本発明の撮像装置の結像光学系において、下記条件式（３）を満足することが望ましい。
０．６６≦θｇＦ４ｐ≦０．７５  ・・・（３）
ここで、
θｇＦ４ｐは結像光学系の第４レンズ群の正メニスカスレンズの部分分散比（ｎｇ−ｎＦ）／（ｎＦ−ｎＣ）、
ｎｇは正メニスカスレンズのｇ線の屈折率、
ｎＦは正メニスカスレンズのＦ線の屈折率、
ｎＣは正メニスカスレンズのＣ線の屈折率、
である。
【００２９】
条件式（３）の上限値０．７５を上回ると、２次スペクトルによる軸上および倍率色収差、つまり、Ｆ線とＣ線で色消ししたときのｇ線の軸上および倍率色収差の補正を効果的に行うことが十分出来なくなるため、撮像で得た画像で鮮鋭さを確保しづらい。
【００３０】
条件式（３）の下限値０．６６を下回ると、２次スペクトルによる軸上および倍率色収差、つまり、Ｆ線とＣ線で色消ししたときのｇ線の軸上および倍率色収差の補正を効果的に行うことが十分出来なくなるため、同様に撮像で得た画像で鮮鋭さを確保しづらい。
【００３１】
なお、上記条件式（３）に代えて、以下の条件式（３’）を満足することがより好ましい。
０．６６≦θｇＦ４ｐ≦０．７２  ・・・（３’）
さらに、上記条件式（３）に代えて、以下の条件式（３''）を満足することがより一層好ましい。
０．６６５≦θｇＦ４ｐ≦０．７  ・・・（３''）
【００３２】
また、本発明の撮像装置の結像光学系において、下記条件式（４）を満足することが望ましい。
−７．０≦（Ｒｂ＋＋Ｒａ＋）／（Ｒｂ＋−Ｒａ＋）≦−２．０  ・・・（４）
ここで、
Ｒａ＋は結像光学系の第４レンズ群の正メニスカスレンズの物体側の曲率半径、
Ｒｂ＋は結像光学系の第４レンズ群の正メニスカスレンズの像側の曲率半径、
である。
【００３３】
条件式（４）の上限−２．０を上回ると、無限遠状態、至近状態での非点収差、倍率色収差の補正を効果的に行うことが出来ない。
【００３４】
条件式（４）の下限−７．０を下回ると、無限遠状態、至近状態での球面収差、非点収差、倍率色収差の補正を効果的に行うことが出来ない。
【００３５】
なお、上記条件式（４）に代えて、以下の条件式（４’）を満足することがより好ましい。
−５．０≦（Ｒｂ＋＋Ｒａ＋）／（Ｒｂ＋−Ｒａ＋）≦−２．０  ・・・（４’）
更に、上記条件式（４）に代えて、以下の条件式（４''）満足することがより一層好ましい。
−４．０≦（Ｒｂ＋＋Ｒａ＋）／（Ｒｂ＋−Ｒａ＋）≦−２．１  ・・・（４''）
【００３６】
上記条件式（４）に加え、前記結像光学系の第４レンズ群が正メニスカスレンズ、負レンズの２つのレンズ成分で構成される場合、下記条件式（５）を満足することがより好ましい。
０≦（Ｒｂ−＋Ｒａ−）／（Ｒｂ−−Ｒａ−）≦１．２  ・・・（５）
ここで、
Ｒａ−は前記結像光学系の第４レンズ群の負レンズの物体側の曲率半径、
Ｒｂ−は前記結像光学系の第４レンズ群の負レンズの像側の曲率半径、
である。
条件式（５）を満たすことで、非点収差の劣化を抑えつつ負レンズの体積を減らし、レンズ重量を減らすことになる。
【００３７】
上記条件式（４）に加え、前記結像光学系の第４レンズ群が正メニスカスレンズと負レンズを接合した１つのレンズ成分で構成される場合、下記条件式（５’）を満足することがより好ましい。
０．２５≦（Ｒｂ−＋Ｒａ−）／（Ｒｂ−−Ｒａ−）≦０．１５  ・・・（５’）
条件式（５’）を満たすことで、非点収差の劣化を抑えつつ負レンズの体積を減らし、レンズ重量を減らすことができる。
【００３８】
また、本発明の撮像装置の結像光学系は、前記結像光学系の第３レンズ群が、物体側から順に、開口絞り、正のレンズ成分の前群、正のレンズ成分の後群からなり、前記前群の一番像側に負のレンズ成分を有することが望ましい。
【００３９】
また、本発明の撮像装置の結像光学系は、前記結像光学系の第３レンズ群が、物体側から順に、開口絞り、正のレンズ成分の前群、正のレンズ成分の後群からなり、前記後群の一番物体側に負レンズを有することが望ましい。
【００４０】
上述の構成にすることにより、前記結像光学系の第３レンズ群内の構成が正、負、正の対称系となる。この構成により、無限遠状態と至近状態での球面収差、像面湾曲、非点収差の補正を効果的に行うことができる。
【００４１】
なお、前記結像光学系の第３レンズ群は条件式（６）を満足することが好ましい。
０．２５≦ｄｆｂ／ｄＧ３≦０．５  ・・・（６）
ここで、
ｄｆｂは前記結像光学系の第３レンズ群の前群と後群との間隔、
ｄＧ３は前記結像光学系の第３レンズ群の一番物体側の面から前記結像光学系の第３レンズ群の一番像側の面までの間隔、
である。
【００４２】
条件式（６）の上限０．５を上回ると、無限遠状態、至近状態での球面収差、像面湾曲、非点収差の補正を効果的に行うことが出来ない。
【００４３】
条件式（６）の下限０．２５を下回ると、同様に無限遠状態、至近状態での球面収差、像面湾曲、非点収差の補正を効果的に行うことが出来ない。
【００４４】
また、本発明の撮像装置の結像光学系は、前記結像光学系の第２レンズ群が物体側から順に、負、正、負のレンズ成分からなることが望ましい。
【００４５】
上述の構成にすることにより、前記結像光学系の第２レンズ群内の構成が負、正、負の対称系となる。この構成により、無限遠状態と至近状態での球面収差、像面湾曲、非点収差、色収差の補正を効果的に行うことができる。
【００４６】
また、本発明の撮像装置の結像光学系は、前記結像光学系の第１レンズ群が物体側から順に正、負の２つのレンズ成分、もしくはそれらを接合した１つのレンズ成分で構成されることが望ましい。
【００４７】
上述の構成にすることにより、軸上、軸外マージナル光線高の高い中間状態から望遠端での軸上、軸外収差の補正を効果的に行うことが出来る。
【００４８】
上述の特許文献４記載のズームレンズでは、動画撮影をする場合、撮影時に常にピントの合う位置を探しＡＦを行うため、フォーカシングレンズ群を常に動かす必要がある。このため、この構成で動画撮影を行うと、フォーカシング駆動モーターの電力消費が大きく、音も大きい等の課題があり、動画撮影を行う交換レンズとしては適していない。これに対して本発明に係る撮像装置の結像光学系は、動画撮影中の電力消費を抑え、静音化も可能である。
【実施例】
【００４９】
以下に、本発明にかかる結像光学系及び電子撮像装置の実施例を図面に基づいて詳細に説明する。なお、この実施例によりこの発明が限定されるものではない。
【００５０】
次に、本発明の実施例１における撮像装置が有する結像光学系について説明する。図１は本発明の実施例１における結像光学系の無限遠物点合焦時の光学構成を示す光軸に沿う断面図であり、（ａ）は広角端、（ｂ）は中間焦点距離状態、（ｃ）は望遠端での断面図である。
【００５１】
図２は実施例１における結像光学系の無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
図３は、実施例１における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００５２】
実施例１における結像光学系は、図１に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。なお、以下全ての実施例において、レンズ断面図中、ＣＧはカバーガラス、Ｉは電子撮像素子の撮像面を示している。
【００５３】
第１レンズ群Ｇ１は、物体側から順に、両凸正レンズＬ１と像側に凸面を向けた負メニスカスレンズＬ２の接合レンズで構成されており、全体で正の屈折力を有している。
【００５４】
第２レンズ群Ｇ２は、物体側から順に、物体側に凸面を向けた負メニスカスレンズＬ３と、物体側に凸面を向けた正メニスカスレンズＬ４と、両凹負レンズＬ５と、で構成されており、全体で負の屈折力を有している。
【００５５】
第３レンズ群Ｇ３は、物体側から順に、開口絞りＳと、両凸正レンズＬ６と、両凸正レンズＬ７と両凹負レンズＬ８の接合レンズと、物体側に凸面を向けた負メニスカスレンズＬ９と、像側に凸面を向けた正メニスカスレンズＬ１０と、物体側に凸面を向けた正メニスカスレンズＬ１１と、で構成されており、全体で正の屈折力を有している。ここで、両凸正レンズＬ６と、両凸正レンズＬ７と両凹負レンズＬ８の接合レンズと、は前群を構成し、正の屈折力を有する。物体側に凸面を向けた負メニスカスレンズＬ９と、像側に凸面を向けた正メニスカスレンズＬ１０と、物体側に凸面を向けた正メニスカスレンズＬ１１と、は後群を構成し、正の屈折力を有する。
【００５６】
第４レンズ群Ｇ４は、物体側から順に、像側に凸面を向けた正メニスカスレンズＬ１２と、両凹負レンズＬ１３と、の接合レンズで構成されており、全体で負の屈折率を有している。
【００５７】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００５８】
次に、本発明の実施例２における撮像装置が有する結像光学系について説明する。図４は本発明の実施例２における結像光学系の無限遠物点合焦時の光学構成を示す光軸に沿う断面図であり、（ａ）は広角端、（ｂ）は中間焦点距離状態、（ｃ）は望遠端での断面図である。
【００５９】
図５は実施例２における結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
図６は、実施例２における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００６０】
実施例２における結像光学系は、図４に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。
【００６１】
第１レンズ群Ｇ１は、物体側から順に、両凸正レンズＬ１と像側に凸面を向けた負メニスカスレンズＬ２の接合レンズで構成されており、全体で正の屈折力を有している。
【００６２】
第２レンズ群Ｇ２は、物体側から順に、物体側に凸面を向けた負メニスカスレンズＬ３と、物体側に凸面を向けた正メニスカスレンズＬ４と、像側に凸面を向けた負メニスカスレンズＬ５と、で構成されており、全体で負の屈折力を有している。
【００６３】
第３レンズ群Ｇ３は、物体側から順に、開口絞りＳと、両凸正レンズＬ６と、両凸正レンズＬ７と両凹負レンズＬ８の接合レンズと、両凹負レンズＬ９と、両凸正レンズＬ１０と、両凸正レンズＬ１１と、で構成されており、全体で正の屈折力を有している。ここで、両凸正レンズＬ６と、両凸正レンズＬ７と両凹負レンズＬ８の接合レンズと、は前群を構成し、正の屈折力を有する。両凹負レンズＬ９と、両凸正レンズＬ１０と、両凸正レンズＬ１１と、は後群を構成し、正の屈折力を有する。
【００６４】
第４レンズ群Ｇ４は、物体側から順に、像側に凸面を向けた正メニスカスレンズＬ１２と、両凹負レンズＬ１３と、で構成されており、全体で負の屈折率を有している。
【００６５】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００６６】
次に、本発明の実施例３における撮像装置が有する結像光学系について説明する。図７は本発明の実施例３における結像光学系の無限遠物点合焦時の光学構成を示す光軸に沿う断面図であり、（ａ）は広角端、（ｂ）は中間焦点距離状態、（ｃ）は望遠端での断面図である。
【００６７】
図８は実施例３における結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
図９は、実施例３における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００６８】
実施例３における結像光学系は、図７に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。
【００６９】
第１レンズ群Ｇ１は、物体側から順に、両凸正レンズＬ１と、像側に凸面を向けた負メニスカスレンズＬ２と、で構成されており、全体で正の屈折力を有している。
【００７０】
第２レンズ群Ｇ２は、物体側から順に、物体側に凸面を向けた負メニスカスレンズＬ３と、物体側に凸面を向けた正メニスカスレンズＬ４と、像側に凸面を向けた負メニスカスレンズＬ５と、で構成されており、全体で負の屈折力を有している。
【００７１】
第３レンズ群Ｇ３は、物体側から順に、開口絞りＳと、両凸正レンズＬ６と、両凸正レンズＬ７と像側に凸面を向けた負メニスカスレンズＬ８の接合レンズと、両凹負レンズＬ９と、両凸正レンズＬ１０と、両凸正レンズＬ１１と、で構成されており、全体で正の屈折力を有している。ここで、両凸正レンズＬ６と、両凸正レンズＬ７と像側に凸面を向けた負メニスカスレンズＬ８の接合レンズと、は前群を構成し、正の屈折力を有する。両凹負レンズＬ９と、両凸正レンズＬ１０と、両凸正レンズＬ１１と、は後群を構成し、正の屈折力を有する。
【００７２】
第４レンズ群Ｇ４は、物体側から順に、像側に凸面を向けた正メニスカスレンズＬ１２と、両凹負レンズＬ１３と、で構成されており、全体で負の屈折率を有している。
【００７３】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００７４】
次に、本発明の実施例４における撮像装置が有する結像光学系について説明する。図１０は本発明の実施例４における結像光学系の無限遠物点合焦時の光学構成を示す光軸に沿う断面図であり、（ａ）は広角端、（ｂ）は中間焦点距離状態、（ｃ）は望遠端での断面図である。
【００７５】
図１１は実施例４における結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
図１２は、実施例４における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００７６】
実施例４の結像光学系は、図１０に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。
【００７７】
第１レンズ群Ｇ１は、物体側から順に、両凸正レンズＬ１と、像側に凸面を向けた負メニスカスレンズＬ２と、で構成されており、全体で正の屈折力を有している。
【００７８】
第２レンズ群Ｇ２は、物体側から順に、物体側に凸面を向けた負メニスカスレンズＬ３と、物体側に凸面を向けた正メニスカスレンズＬ４と、像側に凸面を向けた負メニスカスレンズＬ５と、で構成されており、全体で負の屈折力を有している。
【００７９】
第３レンズ群Ｇ３は、物体側から順に、開口絞りＳと、両凸正レンズＬ６と、両凸正レンズＬ７と像側に凸面を向けた負メニスカスレンズＬ８の接合レンズと、両凹負レンズＬ９と、両凸正レンズＬ１０と、両凸正レンズＬ１１と、で構成されており、全体で正の屈折力を有している。ここで、両凸正レンズＬ６と、両凸正レンズＬ７と像側に凸面を向けた負メニスカスレンズＬ８の接合レンズと、は前群を構成し、正の屈折力を有する。両凹負レンズＬ９と、両凸正レンズＬ１０と、両凸正レンズＬ１１と、は後群を構成し、正の屈折力を有する。
【００８０】
第４レンズ群Ｇ４は、物体側から順に、像側に凸面を向けた正メニスカスレンズＬ１２と、両凹負レンズＬ１３と、で構成されており、全体で負の屈折率を有している。
【００８１】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００８２】
次に、本発明の実施例５における撮像装置が有する結像光学系について説明する。図１３は本発明の実施例５における結像光学系の無限遠物点合焦時の光学構成を示す光軸に沿う断面図であり、（ａ）は広角端、（ｂ）は中間焦点距離状態、（ｃ）は望遠端での断面図である。
【００８３】
図１４は実施例５における結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
図１５は、実施例５における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００８４】
実施例５における結像光学系は、図１３に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。
【００８５】
第１レンズ群Ｇ１は、物体側から順に、両凸正レンズＬ１と像側に凸面を向けた負メニスカスレンズＬ２の接合レンズで構成されており、全体で正の屈折力を有している。
【００８６】
第２レンズ群Ｇ２は、物体側から順に、物体側に凸面を向けた負メニスカスレンズＬ３と、物体側に凸面を向けた正メニスカスレンズＬ４と、両凹負レンズＬ５と、で構成されており、全体で負の屈折力を有している。
【００８７】
第３レンズ群Ｇ３は、物体側から順に、開口絞りＳと、両凸正レンズＬ６と、両凸正レンズＬ７と両凹負レンズＬ８の接合レンズと、物体側に凸面を向けた負メニスカスレンズＬ９と、両凸正レンズＬ１０と、物体側に凸面を向けた正メニスカスレンズＬ１１と、で構成されており、全体で正の屈折力を有している。ここで、両凸正レンズＬ６と、両凸正レンズＬ７と両凹負レンズＬ８の接合レンズと、は前群を構成し、正の屈折力を有する。物体側に凸面を向けた負メニスカスレンズＬ９と、両凸正レンズＬ１０と、物体側に凸面を向けた正メニスカスレンズＬ１１と、は後群を構成し、正の屈折力を有する。
【００８８】
第４レンズ群Ｇ４は、物体側から順に、像側に凸面を向けた正メニスカスレンズＬ１２と、両凹負レンズＬ１３と、の接合レンズで構成されており、全体で負の屈折率を有している。
【００８９】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００９０】
次に、本発明の実施例６における撮像装置が有する結像光学系について説明する。図１６は本発明の実施例６における結像光学系の無限遠物点合焦時の光学構成を示す光軸に沿う断面図であり、（ａ）は広角端、（ｂ）は中間焦点距離状態、（ｃ）は望遠端での断面図である。
【００９１】
図１７は実施例６における結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
図１８は、実施例６における結像光学系の９００ｍｍ物点合焦時における球面収差、非点収差、歪曲収差、倍率色収差を示す図であり、（ａ）は広角端、（ｂ）は中間、（ｃ）は望遠端での状態を示している。
【００９２】
実施例６の結像光学系は、図１６に示すように、物体側から順に、正の屈折率を有する第１レンズ群Ｇ１と、負の屈折力を有する第２レンズ群Ｇ２と、開口絞りＳを含む、正の屈折力を有する第３レンズ群Ｇ３と、負の屈折力を有する第４レンズ群Ｇ４と、を有している。
【００９３】
第１レンズ群Ｇ１は、物体側から順に、両凸正レンズＬ１と像側に凸面を向けた負メニスカスレンズＬ２の接合レンズで構成されており、全体で正の屈折力を有している。
【００９４】
第２レンズ群Ｇ２は、物体側から順に、物体側に凸面を向けた負メニスカスレンズＬ３と、物体側に凸面を向けた正メニスカスレンズＬ４と、像側に凸面を向けた負メニスカスレンズＬ５と、で構成されており、全体で負の屈折力を有している。
【００９５】
第３レンズ群Ｇ３は、物体側から順に、開口絞りＳと、両凸正レンズＬ６と、両凸正レンズＬ７と両凹負レンズＬ８の接合レンズと、両凹負レンズＬ９と、両凸正レンズＬ１０と、両凸正レンズＬ１１と、で構成されており、全体で正の屈折力を有している。ここで、両凸正レンズＬ６と、両凸正レンズＬ７と両凹負レンズＬ８の接合レンズと、は前群を構成し、正の屈折力を有する。両凹負レンズＬ９と、両凸正レンズＬ１０と、両凸正レンズＬ１１と、は後群を構成し、正の屈折力を有する。
【００９６】
第４レンズ群Ｇ４は、物体側から順に、像側に凸面を向けた正メニスカスレンズＬ１２と、両凹負レンズＬ１３と、で構成されており、全体で負の屈折率を有している。
【００９７】
広角端から望遠端へと変倍する際には、第１レンズ群Ｇ１は第２レンズ群Ｇ２との間隔を広げながら物体側へ移動する。第２レンズ群Ｇ２は、広角端から中間状態まで第３レンズ群Ｇ３との間隔を狭めながら像側へ移動し、中間状態から望遠状態まで第３レンズ群Ｇ３と間隔を狭めながら物体側へ移動する。第３レンズ群Ｇ３は、広角端から望遠端まで第２レンズ群Ｇ２との間隔を狭めながら物体側へ移動する。第４レンズ群Ｇ４は、広角端から中間状態まで第３レンズ群Ｇ３との間隔を広げながら物体側へ移動し、中間状態から望遠端まで第３レンズ群Ｇ３との間隔を狭めながら物体側へ移動する。また、第４レンズ群Ｇ４は、無限遠から至近への合焦の際に、第３レンズ群Ｇ３との間隔を広げながら像側へ移動する。
【００９８】
次に、上記各実施例の結像光学系を構成する光学部材の数値データを掲げる。なお、各実施例の数値データにおいて、ｒ１、ｒ２、…は各レンズ面の曲率半径、ｄ１、ｄ２、…は各レンズの肉厚又は空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。
【００９９】
以下、各実施例におけるレンズの数値データを示す。
各実施例におけるレンズの数値データにおいて、Ｒは各レンズ面の曲率半径、Ｄは各レンズの肉厚又は間隔、Ｎｄはｄ線における屈折率、νｄは各レンズのｄ線におけるアッベ数をそれぞれ示している。また、Ｄ０は、被写体から第１面の間隔である。
【０１００】
数値実施例１
単位ｍｍ
面データ
面番号   r          d         nd        νd    
物面     ∞         ∞
1      63.709      5.50     1.48749    70.23
2    -109.414      2.10     1.84666    23.78
3    -222.855      可変   
4      60.135      1.00     1.63854    55.38
5      15.437      2.57
6      16.558      1.91     1.84666    23.78
7      24.721      2.31
8     -38.326      1.00     1.65100    56.16
9     372.592      可変   
10(絞り) ∞        1.50
11     39.609      2.26     1.51633    64.14
12    -97.377      0.15
13     23.841      3.45     1.49700    81.54
14    -44.087      1.00     1.91082    35.25
15    236.915     11.18
16     39.347      1.09     1.80100    34.97
17     19.431      2.19
18   -482.622      1.95     1.48749    70.23
19    -31.546      0.15
20     21.469      2.53     1.60311    60.64
21    131.413      可変
22    -98.879      0.70     1.63387    23.38
23    -38.873      1.00     1.51633    64.14
24     25.822      可変  
25       ∞        4.70     1.51633    64.14
26       ∞        1.60
像面（撮像面）∞
各種データ
広角        中間         望遠
焦点距離        40.83       77.45       146.88     
ＦＮＯ．         4.08        4.39         5.71     
画角２ω        30.94       16.03         8.49     
無限遠合焦時
d0                ∞          ∞           ∞
d3               0.90       34.28        54.07     
d9              18.58        6.32         3.40     
d21             13.14       13.50         2.55     
d24             17.31       19.89        46.72     
IO：900mm合焦時
d0             791.06      766.69       734.50
d3               0.90       34.28        54.07     
d9              18.58        6.32         3.40     
d21             14.72       18.62         9.43     
d24             15.73       14.77        39.84     
〔硝材屈折率テーブル〕・・・ 本実施例にて使用した媒質の波長別屈折率一覧
硝材                587.56   656.27   486.13   435.84
L7                 1.496999 1.495136 1.501231 1.504506
L12                1.633870 1.626381 1.653490 1.671610
F                  1.516330 1.513855 1.521905 1.526213
L11                1.603112 1.600079 1.610024 1.615408
L3                 1.638539 1.635051 1.646582 1.652906
L1,L10             1.487490 1.485344 1.492285 1.495963
L5                 1.650996 1.647485 1.659076 1.665429
L9                 1.800999 1.794275 1.817182 1.830612
L2,L4              1.846660 1.836488 1.872096 1.894186
L8                 1.910823 1.903235 1.929074 1.944115
L6,L13             1.516330 1.513855 1.521905 1.526213
【０１０１】
数値実施例２
単位ｍｍ
面データ
面番号   r          d         nd        νd    
物面     ∞         ∞
1      76.255      5.10     1.48749    70.23
2     -86.712      2.10     1.80518    25.42
3    -162.511      可変
4    3399.854      1.00     1.72916    54.68
5      17.987      1.15
6      19.203      2.25     1.84666    23.78
7      37.086      1.61
8     -34.840      1.00     1.71300    53.87
9     -84.392      可変
10(絞り) ∞        1.50
11     46.995      2.38     1.51633    64.14
12    -59.183      0.28
13     22.545      4.06     1.48749    70.23
14    -41.326      1.00     1.90366    31.32
15    782.855      9.42
16    -87.571      1.80     1.83400    37.16
17     26.470      3.10
18    100.099      2.60     1.51633    64.14
19    -28.402      0.15
20     28.981      2.55     1.60311    60.64
21   -101.096      可変
22    -45.486      0.59     1.63387    23.38
23    -26.259      4.47
24    -22.469      1.00     1.57099    50.80
25     51.356      可変
26       ∞        4.50     1.51633    64.14
27       ∞        1.50
像面（撮像面）∞
各種データ
広角        中間         望遠
焦点距離        40.91       77.49       146.95  
ＦＮＯ．         4.08        4.39         5.71  
画角２ω        31.25       16.15         8.54  
無限遠合焦時
d0                ∞          ∞           ∞
d3               0.90       36.13        56.50  
d9              17.62        5.12         1.00  
d21             10.09       10.77         1.39  
d25             17.10       20.30        44.85  
IO：900mm合焦時
d0             798.79      772.27       740.91
d3               0.90       36.13        56.50  
d9              17.62        5.12         1.00  
d21             11.72       15.83         8.40  
d25             15.47       15.24        37.84
〔硝材屈折率テーブル〕・・・ 本実施例にて使用した媒質の波長別屈折率一覧
硝材                587.56   656.27   486.13   435.84
L12                1.633870 1.626381 1.653490 1.671610
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
L8                 1.903660 1.895260 1.924120 1.941280
L6,L10             1.516330 1.513855 1.521905 1.526213
【０１０２】
数値実施例３
単位ｍｍ
面データ
面番号   r          d         nd        νd    
物面     ∞         ∞
1      74.021      5.10     1.48749    70.23
2     -95.003      1.02
3     -92.454      2.10     1.80518    25.42
4    -182.076      可変  
5    2229.024      1.00     1.72916    54.68
6      19.773      1.26
7      20.950      2.01     1.84666    23.78
8      38.779      1.95
9     -32.760      1.00     1.71300    53.87
10    -88.704      可変
11(絞り) ∞        1.70
12     56.044      2.28     1.51633    64.14
13    -64.509      0.14
14     21.499      4.22     1.48749    70.23
15    -40.786      1.00     1.90366    31.32
16   -148.154      9.23
17    -43.203      1.80     1.83400    37.16
18     26.121      2.72
19     93.813      2.70     1.51633    64.14
20    -26.277      0.14
21     29.694      2.65     1.60311    60.64
22    -78.103      可変
23    -35.969      0.90     1.63400    22.88
24    -22.585      4.38
25    -19.718      1.00     1.57099    50.80
26     87.496      可変
27       ∞        4.70     1.51633    64.14
28       ∞        1.60
像面（撮像面）∞
各種データ
広角        中間         望遠 
焦点距離        40.88       77.42       146.91   
ＦＮＯ．         4.08        4.39         5.71   
画角２ω        31.31       16.19         8.56   
無限遠合焦時
D0                ∞          ∞           ∞
D4               1.17       35.49        56.69    
D10             17.62        5.12         1.00    
D22              9.49       10.87         1.23    
D26             16.81       19.99        44.75    
IO：900mm合焦時
D0             798.12      771.89       739.94
D4               1.17       35.49        56.69    
D10             17.62        5.12         1.00    
D22             11.24       16.36         8.85
D26             15.06       14.50        37.13 
〔硝材屈折率テーブル〕・・・ 本実施例にて使用した媒質の波長別屈折率一覧
硝材                587.56   656.27   486.13   435.84
L12                1.633997 1.626282 1.653988 1.673212
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
L8                 1.903660 1.895260 1.924120 1.941280
L6,L10             1.516330 1.513855 1.521905 1.526213
【０１０３】
数値実施例４
単位ｍｍ
面データ
面番号   r          d         nd        νd    
物面     ∞         ∞
1      77.785      5.10     1.48749    70.23
2     -95.673      1.65
3     -91.630      2.10     1.80518    25.42
4    -183.616      可変  
5     124.018      1.21     1.72916    54.68
6      18.326      1.31
7      19.247      2.13     1.84666    23.78
8      34.161      2.04
9     -33.350      1.00     1.71300    53.87
10   -210.033      可変
11(絞り) ∞        1.50
12     42.697      2.39     1.51633    64.14
13    -76.824      0.14
14     20.663      3.72     1.48749    70.23
15    -50.841      1.00     1.90366    31.32
16   -323.095      8.54
17    -48.670      1.80     1.83400    37.16
18     22.896      2.22
19     62.854      2.64     1.51633    64.14
20    -31.114      0.15
21     28.683      2.87     1.60311    60.64
22    -73.338      可変
23    -28.784      1.24     1.64800    22.00
24    -20.986      5.52
25    -19.000      1.00     1.57099    50.80
26   3214.295      可変
27       ∞        4.70     1.51633    64.14
28       ∞        1.60
像面（撮像面）∞
各種データ
広角        中間         望遠
焦点距離        40.62       77.66       146.36   
ＦＮＯ．         4.08        4.39         5.71   
画角２ω        31.53       16.21         8.62   
無限遠合焦時
d0                ∞          ∞           ∞
d4               2.04       33.67        57.93    
d10             17.62        5.12         1.00    
d22              9.46       11.45         1.09    
d26             15.51       20.42        45.12    
IO:900mm合焦時
d0             797.57      771.64       737.26
d4               2.04       33.67        57.93    
d10             17.62        5.12         1.00    
d22             11.67       17.99        10.32
d26             13.30       13.89        35.89
〔硝材屈折率テーブル〕・・・ 本実施例にて使用した媒質の波長別屈折率一覧
硝材                587.56   656.27   486.13   435.84
L8                 1.903660 1.895260 1.924120 1.941280
L6,L10             1.516330 1.513855 1.521905 1.526213
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
L12                1.647997 1.639827 1.669278 1.690832
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
【０１０４】
数値実施例５
単位ｍｍ
面データ
面番号   r          d         nd        νd    
物面     ∞         ∞
1      62.889      5.50     1.48749    70.23
2    -108.347      2.10     1.84666    23.78
3    -224.250      可変
4     191.134      1.00     1.63854    55.38
5      17.569      3.56
6      19.477      2.26     1.80518    25.42
7      46.237      1.35
8     -85.640      1.00     1.65844    50.88
9      48.262      可変
10(絞り) ∞        1.50
11     35.110      2.26     1.51633    64.14
12   -125.366      0.15
13     22.227      3.55     1.49700    81.54
14    -45.474      1.00     1.91082    35.25
15    114.115      9.07
16     38.900      0.93     1.80100    34.97
17     19.453      2.92
18    132.785      2.41     1.48749    70.23
19    -29.064      0.15
20     22.121      2.08     1.60311    60.64
21     57.375      可変
22   -112.103      0.70     1.63400    22.88
23    -40.750      1.00     1.51823    58.90
24     25.508      可変
25       ∞        4.70     1.51633    64.14
26       ∞        1.60
像面（撮像面）∞
各種データ
広角        中間         望遠
焦点距離        40.84       77.46       146.87  
ＦＮＯ．         4.08        4.39         5.71  
画角２ω        30.87       16.00         8.49  
無限遠合焦時
d0                ∞          ∞           ∞
d3               0.90       35.42        55.07   
d9              19.00        6.33         3.40   
d21             14.26       13.71         2.21   
d24             16.88       19.63        47.14   
IO:900mm合焦時
d0             791.06      766.69       734.50
d3               0.90       35.42        55.07   
d9              19.00        6.33         3.40   
d21             15.91       19.00         9.11
d24             15.23       14.34        40.24 
〔硝材屈折率テーブル〕・・・ 本実施例にて使用した媒質の波長別屈折率一覧
硝材                587.56   656.27   486.13   435.84
L2                 1.846660 1.836488 1.872096 1.894186
L4                 1.805181 1.796106 1.827775 1.847283
L8                 1.910823 1.903235 1.929074 1.944115
L11                1.603112 1.600079 1.610024 1.615408
L12                1.633997 1.626282 1.653988 1.673212
L1,L10             1.487490 1.485344 1.492285 1.495963
L9                 1.800999 1.794275 1.817182 1.830612
L13                1.518229 1.515556 1.524354 1.529154
F                  1.603112 1.600079 1.610024 1.615408
L3                 1.638539 1.635051 1.646582 1.652906
L5                 1.658441 1.654553 1.667495 1.674690
L7                 1.496999 1.495136 1.501231 1.504506
【０１０５】
数値実施例６
単位ｍｍ
面データ
面番号   r          d         nd        νd    
物面     ∞         ∞
1      82.056      5.10     1.48749    70.23
2     -87.248      2.10     1.80518    25.42
3    -165.805      可変
4      74.072      1.85     1.72916    54.68
5      16.441      1.23
6      17.163      2.89     1.84666    23.78
7      28.867      2.14
8     -32.491      1.00     1.71300    53.87
9    -346.978      可変
10(絞り) ∞        1.50
11     35.659      2.63     1.51633    64.14
12    -73.225      0.14
13     19.262      3.98     1.48749    70.23
14    -49.611      1.00     1.90366    31.32
15    349.277      7.39
16   -117.449      1.80     1.83400    37.16
17     20.564      2.08
18    108.019      2.45     1.51633    64.14
19    -30.167      0.15
20     23.731      2.70     1.60311    60.64
21   -212.968      可変
22    -39.959      1.11     1.63387    23.38
23    -23.383      4.19
24    -20.354      1.00     1.57099    50.80
25    164.625      可変
26       ∞        4.70     1.51633    64.14
27       ∞        1.60
像面（撮像面）∞
各種データ
広角        中間         望遠
焦点距離        40.79       77.52       146.73  
ＦＮＯ．         4.08        4.39         5.71  
画角２ω        31.39       16.22         8.58  
無限遠合焦時
D0                ∞          ∞           ∞
D3               3.01       33.20        59.24   
D9              17.62        5.12         1.00   
D21              9.07       12.21         0.90   
D25             17.35       20.99        45.69   
IO:900mm合焦時
D0             797.90      773.28       737.99
D3               3.01       33.20        59.24   
D9              17.62        5.12         1.00   
D21             11.32       19.35        11.29
D25             15.11       13.85        35.31 
〔硝材屈折率テーブル〕・・・ 本実施例にて使用した媒質の波長別屈折率一覧
硝材                587.56   656.27   486.13   435.84
L3                 1.729157 1.725101 1.738436 1.745696
L5                 1.712995 1.708974 1.722210 1.729434
L4                 1.846660 1.836488 1.872096 1.894186
L2                 1.805181 1.796106 1.827775 1.847283
L8                 1.903660 1.895260 1.924120 1.941280
L6,L10             1.516330 1.513855 1.521905 1.526213
L12                1.633870 1.626381 1.653490 1.671610
L13                1.570989 1.567616 1.578856 1.585136
F                  1.516330 1.513855 1.521905 1.526213
L11                1.603112 1.600079 1.610024 1.615408
L1,L7              1.487490 1.485344 1.492285 1.495963
L9                 1.834000 1.827376 1.849819 1.862779
【０１０６】
次に、上記各実施例における条件式（２）〜（４）の値を示す。
条件式     実施例１    実施例２    実施例３    実施例４    実施例５    実施例６
(１)Nd4    1.63387     1.63387     1.63400     1.64800     1.63400     1.63387
(１)νd4  23.38       23.38       22.88       22.00       22.88       23.38    
(２)      -1.910      -1.808      -1.907      -2.201      -1.932      -2.381 
(３)       0.668       0.668       0.694       0.731       0.694       0.668 
(４)      -2.296      -3.732      -4.381      -6.382      -2.142      -3.821
(５)        --         0.391       0.632       0.988        --         0.779  
(６)       0.431       0.345       0.343       0.335       0.370       0.304  
【０１０７】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１０８】
図１９〜図２１に本発明による結像光学系をデジタルカメラの撮影光学系４１に組み込んだ構成の概念図を示す。図１９はデジタルカメラ４０の外観を示す前方斜視図、図２０は同後方斜視図、図２１はデジタルカメラ４０の光学構成を示す断面図である。
【０１０９】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１の結像光学系４８を通して撮影が行われる。
【０１１０】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１１１】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１１２】
このように構成されたデジタルカメラ４０によれば、撮影光学系４１の構成枚数を少なくした小型化・薄型化の結像光学系を有する電子撮像装置が実現できる。なお、本発明は、上述した沈胴式のデジタルカメラに限られず、屈曲光学系を採用する折り曲げ式のデジタルカメラにも適用できる。
【０１１３】
次に、本発明の結像光学系が対物光学系として内蔵された情報処理装置の一例であるパソコンを図２２〜図２４に示す。図２２はパソコン３００のカバーを開いた状態の前方斜視図、図２３はパソコン３００の撮影光学系３０３の断面図、図２４は図２２の側面図である。図２２〜図２４に示されるように、パソコン３００は、キーボード３０１と、情報処理手段や記録手段と、モニター３０２と、撮影光学系３０３とを有している。
【０１１４】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１１５】
この撮影光学系３０３は、撮影光路３０４上に、例えば実施例１の結像光学系からなる対物光学系１００と、像を受光する電子撮像素子チップ１６２とを有している。これらはパソコン３００に内蔵されている。
【０１１６】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１１７】
次に、本発明の結像光学系が撮影光学系として内蔵された情報処理装置の一例である電話、特に持ち運びに便利な携帯電話を図２５に示す。図２５（ａ）は携帯電話４００の正面図、図２５（ｂ）は側面図、図２５（ｃ）は撮影光学系４０５の断面図である。図２５（ａ）〜（ｃ）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１１８】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１１９】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１の結像光学系が用いられる。これらは、携帯電話４００に内蔵されている。
【０１２０】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１２１】
なお、本発明は、その趣旨を逸脱しない範囲で様々な変形例をとることができる。
【符号の説明】
【０１２２】
Ｇ１          第１レンズ群
Ｇ２          第２レンズ群
Ｇ３          第３レンズ群
Ｇ４          第４レンズ群
Ｌ１〜Ｌ１３        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          結像光学系
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005513242.tif 000002
【図２】
0005513242.tif 000003
【図３】
0005513242.tif 000004
【図４】
0005513242.tif 000005
【図５】
0005513242.tif 000006
【図６】
0005513242.tif 000007
【図７】
0005513242.tif 000008
【図８】
0005513242.tif 000009
【図９】
0005513242.tif 000010
【図１０】
0005513242.tif 000011
【図１１】
0005513242.tif 000012
【図１２】
0005513242.tif 000013
【図１３】
0005513242.tif 000014
【図１４】
0005513242.tif 000015
【図１５】
0005513242.tif 000016
【図１６】
0005513242.tif 000017
【図１７】
0005513242.tif 000018
【図１８】
0005513242.tif 000019
【図１９】
0005513242.tif 000020
【図２０】
0005513242.tif 000021
【図２１】
0005513242.tif 000022
【図２２】
0005513242.tif 000023
【図２３】
0005513242.tif 000024
【図２４】
0005513242.tif 000025
【図２５】
0005513242.tif 000026